(57)【特許請求の範囲】
【請求項１】
電力用制御機器を収容する箱体の側面に換気用の鎧窓が設けられた制御箱であって、
前記鎧窓は、上端部が前記箱体の側面に回動自在に取り付けられて当該側面に設けられた換気口を開閉可能な板材と、通常時は前記板材を開状態に保持する保持部材とを備え、
前記板材は、前記箱体の外側からある一定以上の風力を受けたときに、閉状態となり、
前記保持部材は、前記板材の内側下端部に設けられた第１の永久磁石と、前記箱体の側面に設けられ前記第１の永久磁石と同極同士が対向するように配置された第２の永久磁石とからなることを特徴とする制御箱。
【請求項２】
電力用制御機器を収容する箱体の側面に換気用の鎧窓が設けられた制御箱であって、
前記鎧窓は、上端部が前記箱体の側面に回動自在に取り付けられて当該側面に設けられた換気口を開閉可能な板材と、通常時は前記板材を開状態に保持する保持部材とを備え、
前記板材は、前記箱体の外側からある一定以上の風力を受けたときに、閉状態となり、
前記保持部材は、蝶番により屈伸可能に連結された一対のロッドからなり、
前記一対のロッドの一方が前記板材の内側下端部に取り付けられ、前記一対のロッドの他方が前記箱体の側面に取り付けられることを特徴とする制御箱。
【請求項３】
前記板材の下端部は、前記箱体の側にＬ字形状に折り返されていることを特徴とする請求項１または２に記載の制御箱。
【請求項４】
前記制御箱内にはヒータが設けられていることを特徴とする請求項１から３のいずれか１項に記載の制御箱。
【発明の詳細な説明】
【技術分野】
【０００１】
本発明は、電力用制御機器を収容する制御箱に関し、特に、換気用の鎧窓を備えた制御箱に関する。
【背景技術】
【０００２】
ガス遮断器等の開閉機器の制御機器は、通常、ヒータとともに制御箱内に収容される。このヒータは、換気、結露の防止および温度制御等を目的として用いられる。また、制御箱には鎧窓が設けられ、自然対流による換気が常時行われている。鎧窓は制御箱内に雨が入りにくい構造とされている。【０００３】
特許文献１では、箱体内に発熱部および送風機を有する機器に設けられた排熱装置であって、箱体に形成された排出孔に開閉部材が設けられたものが記載されている。この開閉部材は、送風機の作動時はその風圧により開き、送風機の停止時は自重により閉じる。
【先行技術文献】
【特許文献】
【０００４】
【特許文献１】特公平８−２４２２４号公報
【発明の概要】
【発明が解決しようとする課題】
【０００５】
しかしながら、従来の制御箱に設けられた鎧窓は常時開状態であり、台風などの暴風雨の場合、鎧窓を介して雨水が制御箱内に入り込む可能性がある。【０００６】
また、雨水が入り込まない場合でも、強風時に鎧窓から風が吹き込むことによって制御箱内の湿度が上がり、結露が発生し、制御機器に悪影響を及ぼすおそれがある。【０００７】
本発明は、上記に鑑みてなされたものであって、電力用制御機器の耐候性を向上させることが可能な制御箱を提供することを目的とする。
【課題を解決するための手段】
【０００８】
上述した課題を解決し、目的を達成するために、本発明に係る制御箱は、電力用制御機器を収容する箱体の側面に換気用の鎧窓が設けられた制御箱であって、前記鎧窓は、上端部が前記箱体の側面に回動自在に取り付けられて当該側面に設けられた換気口を開閉可能な板材と、通常時は前記板材を開状態に保持する保持部材とを備え、前記板材は、前記箱体の外側からある一定以上の風力を受けたときに、閉状態となることを特徴とする。
【発明の効果】
【０００９】
本発明によれば、電力用制御機器の耐候性を向上させることができる、という効果を奏する。
【図面の簡単な説明】
【００１０】
【図１】図１は、実施の形態１に係る制御箱の構成を示す断面図である。
【図２】図２は、実施の形態１の鎧窓の通常時における拡大断面図である。
【図３】図３は、実施の形態１の鎧窓の強風時における拡大断面図である。
【図４】図４は、実施の形態２の鎧窓の拡大断面図である。
【図５】図５は、実施の形態３の鎧窓の拡大断面図である。
【図６】図６は、実施の形態４の鎧窓の拡大断面図である。
【図７】図７は、従来の鎧窓の拡大断面図である。
【発明を実施するための形態】
【００１１】
以下に、本発明の実施の形態に係る制御箱を図面に基づいて詳細に説明する。なお、この実施の形態によりこの発明が限定されるものではない。
【００１２】
実施の形態１．
図１は、本実施の形態に係る制御箱の構成を示す断面図である。図２は、本実施の形態の鎧窓の通常時における拡大断面図である。図３は、本実施の形態の鎧窓の強風時における拡大断面図である。
【００１３】
図１に示すように、制御箱１は、箱体８と、箱体８の側面に設けられた鎧窓４と、箱体８の内側から鎧窓４を覆うフィルタ６とを備えている。
【００１４】
制御箱１は、電力用制御機器２を収容するものである。電力用制御機器２は、例えばガス遮断器等の開閉器（図示せず）を制御するための制御機器である。制御箱１は例えば屋外に設置される。
【００１５】
制御箱１内には、ヒータ３が設けられている。ヒータ３は、換気、結露の防止および温度制御等を目的として用いられ、常時駆動されている。制御箱１内は、ヒータ３による自然対流と鎧窓４により換気が行われている。なお、制御箱１内にヒータが設けられていなくてもよい。
【００１６】
フィルタ６は防虫等を目的として設けられており、鎧窓４から箱体８の内部に虫等が入り込まない構造となっている。
【００１７】
図２に示すように、鎧窓４は、箱体８の側面に設けられた換気口２０ごとに例えば複数個設けられ、縦方向に配列されている。また、鎧窓４は、上端部が回動自在に支持された板材７を備えている。板材７は、箱体８の外側に配置される。板材７は、例えば表面に塗料が塗布された金属材から形成される。換気口２０は例えば横長であり、板材７も換気口２０を閉塞可能なように横長である。板材７の上端部は、例えば蝶番５により箱体８の側面に回動自在に取り付けられている。具体的には、箱体８上に固定された板材１７と板材７とこれらを連結する蝶番軸とで蝶番５が構成される。なお、板材７は蝶番５以外の構造によって回動自在に支持されていてもよい。
【００１８】
また、本実施の形態では、板材７と箱体８との間に、一端が板材７の内側下端部に取り付けられ、他端が箱体８の側面に取り付けられたバネ９が設けられている。バネ９は例えばコイルバネであり、詳細には圧縮バネである。
【００１９】
板材７は、通常時は、バネ９の反発力で開状態となっている。すなわち、通常時は、板材７は箱体８の側面に対して傾斜し、板材７と箱体８の側面との間の開口と換気口２０が連通し、箱体８内の換気が可能な状態となっている。
【００２０】
しかしながら、図３に示すように、板材７が箱体８の外部からある一定以上の風力Ｗを受けると、風力を受けた板材７によりバネ９が押されて最大限縮小し、板材７は閉じて換気口２０を閉塞する。これにより、箱体８はほぼ密閉される。また、風力が弱まった際には、バネ９の反発力により、再び板材７が傾斜して開き、箱体８内の換気が可能となる。
【００２１】
なお、ヒータ３による空気の自然対流は板材７の開閉に影響を与えない。
【００２２】
また、板材７の下端部は、図２のように、箱体８側に折り返されて概略Ｌ字型の形状とすることが好ましい。同図では、板材７の下端部のうち、箱体８側に折り返された部位を折り返し部７ａで示している。風力を受けた板材７によりバネ９が押されて最大限縮小した場合でも、バネ９の最小長さ分、板材７の下端部と箱体８の側面との間に隙間が形成されるので、上記のように板材７の下端部を箱体８側にＬ字形状に折り返すことで、折り返し部７ａが当該隙間を閉塞することができる。折り返し部７ａにより、隙間を通って下方から雨風が浸入することを防ぐことができる。なお、折り返し部７ａは、板材７の下端部を折り曲げて形成することもできるし、板材７の下端部に該当部位を溶接等で接合して形成してもよい。
【００２３】
このように、本実施の形態は、鎧窓４の板材７を開閉可能な構造とし、常時は板材７が開いている状態で制御箱１内の自然対流による換気が可能になっており、板材７がある一定以上の風力を制御箱１の外部から受けると板材７が閉まり制御箱１内を密閉する構造となっている。
【００２４】
これにより、強風、暴風雨、台風などの悪天候時には鎧窓４が閉じる構造を実現することができ、雨水の浸入および湿度の上昇を防ぎ、制御箱１内の電力用制御機器２を保護し、耐候性を向上させることができる。
【００２５】
ここで、従来の鎧窓の構造について説明する。図７は、従来の鎧窓の拡大断面図である。なお、図７では、図２と同一の構成要素には同一の符号を付している。図７に示すように、鎧窓４０は雨が入りにくい構造の庇５０を備えている。しかしながら、台風などの暴風雨が発生した場合、庇５０の開口部を経て雨水が箱体８内に入り込む可能性がある。雨水が箱体８内に入り込み、電力用制御機器２にまで及んだ場合、電力用制御機器２が故障するおそれがある。また、雨水が入り込まない場合でも、強風時に庇５０から風が吹き込むことによって箱体８内の湿度が上がり、結露が発生し、電力用制御機器２に悪影響を及ぼすおそれがある。
【００２６】
また、特許文献１では、開閉部材により排出孔を開閉する構成が記載されているが、この開閉部材は箱体内の送風機が動作したときにその風圧により開き、送風機による強制対流により換気を行うものであり、本実施の形態とは構成が異なる。
【００２７】
実施の形態２．
図４は、本実施の形態の鎧窓の拡大断面図であり、特に、通常時の状態を表している。なお、図４では、図２と同一の構成要素には同一の符号を付している。また、制御箱の構成は図１と同様である。以下では、実施の形態１との相違点を中心に説明する。
【００２８】
図４に示すように、本実施の形態では、板材７の内側下端部に永久磁石１０ａが設けられるとともに、箱体８の側面に永久磁石１０ｂが設けられている。永久磁石１０ａ，１０ｂは、板材７が閉じた状態で互いに対向する位置に配置され、かつ、同極同士が対向するように配置されている。
【００２９】
板材７は、通常時は、永久磁石１０ａ，１０ｂ同士の斥力で開状態となっている。すなわち、通常時は、板材７は箱体８の側面に対して傾斜し、板材７と箱体８の側面との間の開口と換気口２０が連通し、箱体８内の換気が可能な状態となっている。
【００３０】
しかしながら、板材７が箱体８の外部からある一定以上の風力を受けると、風力を受けた板材７が斥力に反して閉じることで換気口２０を閉塞する。これにより、箱体８はほぼ密閉される。また、風力が弱まった際には、永久磁石１０ａ，１０ｂ同士の斥力により、再び板材７が傾斜して開き、箱体８内の換気が可能となる。
【００３１】
板材７の下端部は、実施の形態１と同様に、箱体８側に折り曲げられて概略Ｌ字型の形状とされている。これは、永久磁石１０ａ，１０ｂの厚みおよび斥力により、板材７は完全には閉じず、板材７の下端部と箱体８の側面との間に隙間が形成されるので、折り返し部７ａを設けることにより当該隙間を閉塞し、当該隙間を通って下方から雨風が浸入することを防ぐためである。
【００３２】
このように、本実施の形態は、鎧窓４の板材７を開閉可能な構造とし、常時は板材７が開いている状態で制御箱１内の自然対流による換気が可能になっており、板材７がある一定以上の風力を制御箱１の外部から受けると板材７が閉まり制御箱１内を密閉する構造となっている。
【００３３】
これにより、強風、暴風雨、台風などの悪天候時には鎧窓４が閉じる構造を実現することができ、雨水の浸入および湿度の上昇を防ぎ、制御箱１内の電力用制御機器２を保護し、耐候性を向上させることができる。本実施の形態のその他の構成、動作、および効果は実施の形態１と同様である。
【００３４】
実施の形態３．
図５は、本実施の形態の鎧窓の拡大断面図であり、特に、通常時の状態を表している。なお、図５では、図２と同一の構成要素には同一の符号を付している。また、制御箱の構成は図１と同様である。以下では、実施の形態１との相違点を中心に説明する。
【００３５】
図５に示すように、本実施の形態では、板材７の上端部にバランス部材としての板材７ｂが一体に設けられ、板材７と板材７ｂとで概略Ｌ字型の形状を成している。詳細には、板材７ｂは、板材７の上端部から箱体８の内側に略垂直に伸びている。すなわち、板材７が箱体８の外側に配置されるのに対して、箱体８の内側に配置されている。板材７ｂは、例えば板材７と同じ材質で形成され同じ板厚であるが、幅は板材７よりも小さい。板材７および板材７ｂは、例えば蝶番５により箱体８の側面に回動自在に取り付けられている。また、板材７の下端部には、実施の形態１，２と同様に、折り返し部７ａが設けられている。
【００３６】
折り返し部７ａの設けられた板材７は、通常時は、板材７ｂとバランスすることで開状態となっている。すなわち、通常時は、折り返し部７ａの設けられた板材７に働く回動中心周りの重力トルクと板材７ｂに働く回動中心周りの重力トルクとがバランスすることで、板材７が所定の角度開状態となるように板材７の重量および幅が調整されている。ここで回動中心は蝶番５の蝶番軸である。これにより、通常時は、板材７は箱体８の側面に対して傾斜し、板材７と箱体８の側面との間の開口と換気口２０が連通し、箱体８内の換気が可能な状態となっている。
【００３７】
しかしながら、板材７が箱体８の外部からある一定以上の風力を受けると、風力を受けた板材７が閉じることとなり、換気口２０を閉塞する。これにより、箱体８はほぼ密閉される。また、風力が弱まった際には、重力トルクのバランスにより再び板材７が傾斜して開き、箱体８内の換気が可能となる。特に、風力が零になったときに、板材７は元のバランス位置に戻り、板材７の傾斜角度は最大になる。
【００３８】
なお、本実施の形態では、実施の形態１，２と異なり、板材７が一定以上の風力を受けた時は換気口２０を隙間なく閉塞することができる。しかしながら、風力が上記一定値よりも若干弱く換気口２０が板材７により完全に閉塞されない状況では、当該隙間を通って下方から雨風が浸入する可能性があるので、折り返し部７ａを設けることによりこれを防ぐことができるので好適である。
【００３９】
このように、本実施の形態は、鎧窓４の板材７を開閉可能な構造とし、常時は板材７が開いている状態で制御箱１内の自然対流による換気が可能になっており、板材７がある一定以上の風力を制御箱１の外部から受けると板材７が閉まり制御箱１内を密閉する構造となっている。
【００４０】
これにより、強風、暴風雨、台風などの悪天候時には鎧窓４が閉じる構造を実現することができ、雨水の浸入および湿度の上昇を防ぎ、制御箱１内の電力用制御機器２を保護し、耐候性を向上させることができる。本実施の形態のその他の構成、動作、および効果は実施の形態１，２と同様である。
【００４１】
実施の形態４．
図６は、本実施の形態の鎧窓の拡大断面図であり、特に、通常時の状態を表している。なお、図６では、図２と同一の構成要素には同一の符号を付している。また、制御箱の構成は図１と同様である。以下では、実施の形態１との相違点を中心に説明する。
【００４２】
図６に示すように、本実施の形態では、板材７と箱体８の側面との間に蝶番１２により屈伸可能な一対のロッド１３ａ，１３ｂが取り付けられている。すなわち、ロッド１３ａの一端が板材７の内側下端部に取り付けられ、ロッド１３ｂの一端が箱体８の側面に取り付けられ、ロッド１３ａの他端とロッド１３ｂの他端とが蝶番１２に屈伸可能に連結されている。また、板材７の下端部には、実施の形態１，２と同様に、折り返し部７ａが設けられている。
【００４３】
板材７は、通常時は、ロッド１３ａ，１３ｂが蝶番軸を中心に互いに鈍角を成して開状態となっている。蝶番１２はロッド１３ａ，１３ｂに比べて重い素材で形成されており、板材７が風力を受けないときは、蝶番１２の重力によりロッド１３ａ，１３ｂが互いに開く。これにより、通常時は、板材７は箱体８の側面に対して傾斜し、板材７と箱体８の側面との間の開口と換気口２０が連通し、箱体８内の換気が可能な状態となっている。
【００４４】
しかしながら、板材７が箱体８の外部からある一定以上の風力を受けると、風力を受けた板材７がロッド１３ａ，１３ｂを折りたたみ、板材７が閉じることとなり、換気口２０を閉塞する。これにより、箱体８はほぼ密閉される。なお、ロッド１３ａ，１３ｂが折りたたまれた状態では、ロッド１３ａ，１３ｂは蝶番１２より下に配置される。また、風力が弱まった際には、蝶番１２の重力によりロッド１３ａ，１３ｂが蝶番軸を中心に互いに開くので、再び板材７が傾斜して開き、箱体８内の換気が可能となる。
【００４５】
このように、本実施の形態は、鎧窓４の板材７を開閉可能な構造とし、常時は板材７が開いている状態で制御箱１内の自然対流による換気が可能になっており、板材７がある一定以上の風力を制御箱１の外部から受けると板材７が閉まり制御箱１内を密閉する構造となっている。
【００４６】
これにより、強風、暴風雨、台風などの悪天候時には鎧窓４が閉じる構造を実現することができ、雨水の浸入および湿度の上昇を防ぎ、制御箱１内の電力用制御機器２を保護し、耐候性を向上させることができる。本実施の形態のその他の構成、動作、および効果は実施の形態１〜３と同様である。
【００４７】
なお、本発明に係る制御箱は、より一般に、電力用制御機器を収容する箱体の側面に換気用の鎧窓が設けられた制御箱であって、前記鎧窓は、上端部が前記箱体の側面に回動自在に取り付けられて当該側面に設けられた換気口を開閉可能な板材と、通常時は前記板材を開状態に保持する保持部材とを備え、前記板材は、前記箱体の外側からある一定以上の風力を受けたときに、閉状態となるものとすることができる。前記保持部材は、実施の形態１ではバネ９であり、実施の形態２では永久磁石１０ａ，１０ｂであり、実施の形態３ではバランス部材（板材７ｂ）であり、実施の形態４ではロッド１３ａ，１３ｂおよび蝶番１２であるが、その他のものでもよい。
【産業上の利用可能性】
【００４８】
以上のように、本発明は、ガス遮断器等の開閉機器の制御機器を収容する制御箱として有用である。
【符号の説明】
【００４９】
１  制御箱、２  電力用制御機器、３  ヒータ、４，４０  鎧窓、５，１２  蝶番、６  フィルタ、７，７ｂ  板材、７ａ  折り返し部、８  箱体、９  バネ、１０ａ，１０ｂ  永久磁石、１３ａ，１３ｂ  ロッド、１７  板材、２０  換気口、５０  庇。
【要約】
制御箱１は、電力用制御機器２およびヒータ３を収容する箱体８の側面に換気用の鎧窓４が設けられた制御箱である。鎧窓４は、上端部が箱体８の側面に回動自在に取り付けられて当該側面に設けられた換気口２０を開閉可能な板材７と、通常時は板材７を開状態に保持する保持部材とを備え、板材７は、箱体８の外側からある一定以上の風力を受けたときに、閉状態となる。保持部材は、例えばバネ９である。これにより、電力用制御機器の耐候性を向上させることができる。【図１】
0005452787.tif 000002
【図２】
0005452787.tif 000003
【図３】
0005452787.tif 000004
【図４】
0005452787.tif 000005
【図５】
0005452787.tif 000006
【図６】
0005452787.tif 000007
【図７】
0005452787.tif 000008